(57)【特許請求の範囲】
【請求項１】
空気調和機本体を天井内に埋め込む天井埋込型空気調和機において、
天井梁より下方に吊り下げられた吊りボルトと、
下面が開口しその他の５面が壁面で形成され、前記吊りボルトに上面がナットにより係止め固定されると共に、前記本体を前記下面から収納固定し耐火材料からなり、上下の階を仕切る天井板と密接するように敷設される耐火箱と、
を備えたことを特徴とする天井埋込型空気調和機。
【請求項２】
耐火箱天面より下方へ突出して設けられ、空気調和機本体の取付金具と係合する吊り下げボルトを備えたことを特徴とする請求項１記載の天井埋込型空気調和機。
【請求項３】
前記耐火箱は開口部端部外側にフランジ部を有し、前記ナットの締め付け量を調整することにより、前記天井板の室内に露出する面と前記フランジ部との隙間がないよう接触させることを特徴とする請求項１記載の天井埋込型空気調和機。
【請求項４】
空気調和機本体を天井内に埋め込む天井埋込型空気調和機において、
天井梁より下方に吊り下げられ、前記空気調和機本体を吊り下げる吊りボルトと、
中央部に前記空気調和機本体を嵌合する嵌合穴と、周囲に前記吊り下げボルトの通し穴とを有し耐火材料からなる耐火平板と、
を備え、前記本体外周において天井板に前記耐火平板が面接触するまで前記吊りボルトに螺合するナットの締め付け量を調整することにより上昇させることを特徴とする天井埋込型空気調和機。
【発明の詳細な説明】
【０００１】
【産業上の利用分野】
この発明は空気調和機本体を天井内部に埋込む天井埋込型空気調和機に関するものである。
【０００２】
【従来の技術】
図６、図７は、例えば特開昭６３−１９７８０号公報に示された従来の空気調和機を示す斜視図及び縦断面図であり、内壁に断熱材１を貼着し天井内部２に収納される板金製のユニット本体３と中央に吸込口４を、外周部に吹出口５を有し、天井穴６を塞ぐように天井下面に設けられる矩形状の化粧パネル７とから天井埋込型空気調和装置が構成されている。
【０００３】
ユニット本体３にスポット溶接をし、対に張出した各Ｌ型アングル８、９、１０、１１に、外方へ突出する様ボルト１２、１３、１４、１５を溶接し、これらボルト１２に夫々係合する逆Ｌ字状の溝１３を形成したＬ型取付金具１４、１５の両端に吊りボルト１６、１７、１８、１９とナット２０締めされる係止金具２１、２２、２３、２４がスポット溶接されている。
【０００４】
以上の如く構成された空気調和機の吊り下げ作業として、まずユニット本体３の幅寸法よりも若干大きめの矩形状の天井穴６を天井板２２にあける。この時ユニット本体３と天井穴６とのの中心が一致する為、天井穴６の位置出しが容易に行なえる。次に天井穴６から作業者が身を乗り入れて天井梁２３、２４に吊りボルト１６、１７、１８、１９を固着し、Ｌ型取付金具１４、１５にスポット溶接された係止金具２１の長孔を吊りボルト１６、１７、１８、１９に嵌め込んでナット２０で夫々固定する。然る後ユニット本体３を天井穴６より天井内部２に押し込んでボルト１２を逆Ｌ字状の溝１３に夫々下方から嵌め込んでユニット本体３を図６に示す実線矢印方向へずらし、溝１３の奥所で係止させることによりユニット本体３は仮止めされる。そして、ユニット本体窪の空スペースから作業者が天井内部２へ手を差し入れてボルト１２にナット２６を螺合して、締付け且つ吊りボルト１６、１７、１８、１９と螺合しているナット２０を操作してユニット本体３の高さ位置調整や長孔２５で左右方向への位置調整を行なう。化粧パネル７をユニット本体３に螺子（図示せず）で固着し、化粧パネル７で天井穴６を塞ぐ。これにより、吊り下げ取付け作業が終了する。
【０００５】
図８は、耐火構造を有するユニット工法等の家屋の１階天井裏に、空気調和機を設置した場合を示す側面断面図である。２７は天井板の意匠面となる化粧合板で、その上に天井板となる石膏ボード２８が配置され、天井根太２９に取付けられている。この天井根太２９の上面に火災時の１階及び２階への類焼を防ぐため、１階の天井裏内に石膏ボード３０が設けられている。
空気調和機ユニット本体３を装着するために、この化粧合板２７及び石膏ボード２８、３０に穴を設けてある。この穴は天井根太２９へ化粧合板２７及び石膏ボード２８、３０を設置した後、空気調和機装着位置に合わせ、穴を設けている。
【０００６】
【発明が解決しようとする課題】
従来の空気調和機は以上のように構成されているので、耐火構造の家屋に空気調和機を装着する際、１階と２階とを遮断する防火用の石膏ボードに穴をあけなければならず、せっかくの耐火構造の家屋の機能が十分に発揮できない状態であった。また空気調和機装着用の天井穴は天井板をはられた後あけるため、空気調和機吊りボルトと天井穴との位置があいずらく、また天井穴の大きさも適性サイズに開けるのが難しく、化粧パネルよりも大きい天井穴を開けてしまうなどの問題点があった。
【０００７】
この発明は上記のような問題点を解消するためになされたもので、家屋の耐火構造を損うことなく天井埋込型空気調和機を装着できるとともに、空気調和機装着時の家屋加工作業性の向上を目的としている。
【０００８】
【課題を解決するための手段】
この発明に係る天井埋込型空気調和機は、空気調和機本体を天井内に埋め込む天井埋込型空気調和機において、天井梁より下方に吊り下げられた吊りボルトと、下面が開口しその他の５面が壁面で形成され、吊りボルトに上面がナットにより係止め固定されると共に、本体を下面から収納固定し耐火材料からなり、上下の階を仕切る天井板と密接するように敷設される耐火箱とを備えたことを特徴とする。
【０００９】
また、この発明に係る天井埋込型空気調和機は、耐火箱天面より下方へ突出して設けられ、空気調和機本体の取付金具と係合する吊り下げボルトを備えたことを特徴とする。
【００１０】
また、この発明に係る天井埋込型空気調和機は、耐火箱は開口部端部外側にフランジ部を有し、ナットの締め付け量を調整することにより、天井板の室内に露出する面とフランジ部との隙間がないよう接触させることを特徴とする。
【００１１】
また、この発明に係る天井埋込型空気調和機は、空気調和機本体を天井内に埋め込む天井埋込型空気調和機において、天井梁より下方に吊り下げられ、空気調和機本体を吊り下げる吊りボルトと、中央部に空気調和機本体を嵌合する嵌合穴と、周囲に吊り下げボルトの通し穴とを有し耐火材料からなる耐火平板とを備え、本体外周において天井板に耐火平板が面接触するまで吊りボルトに螺合するナットの締め付け量を調整することにより上昇させることを特徴とする。
【００１２】
【作用】
この発明における天井埋込型空気調和機は、家屋の耐火構造を損なうことなく空気調和機を装着することができる。
【００１３】
また、この発明における天井埋込型空気調和機は、吊り下げボルトの取付ピッチの精度が向上し、作業性もよくなる。
【００１４】
また、この発明における天井埋込型空気調和機は、天井板の室内に露出する面とフランジ部との隙間がないよう接触させる。
【００１５】
また、この発明における天井埋込型空気調和機は、空気調和機を装着する作業が容易に行える。
【００１６】
【実施例】
実施例１．
以下、本発明の実施例１を図について説明する。図１は空気調和機の装着状態を示す側面断面図、図２は部品構成を示す斜視図である。図において、３１は金属製の本体耐火箱で、下面を除く５面は壁面にて構成された箱体形状となっていて、開口端部には略Ｌ字状のフランジ部３４を有し、天井梁２３より下方に吊下げられた吊りボルト３２とナット３３により、本体耐火箱３１上面と係止め固定されている。天井板の化粧合板２７、石膏ボード２８、３０は本体耐火箱３１の外郭を基準にし密接するよう加工をし敷設する。敷設をした化粧合板２７と、フランジ部３４とが接触し隙間のないよう、ナット３３の締付け量を調整し、本体耐火箱３１を上下させる。この本体耐火箱３１の下面開口部より空気調和機ユニット本体を収納し、その後化粧パネル７を装着し、開口部を塞ぐ。
天井板の敷設前に本体耐火箱３１に合わせ、化粧合板２７及び石膏ボード２８、３０を加工するため隙間もなく１階、２階の仕切も本体耐火箱３１にて行なえる。
【００１７】
以上のように、実施例１によれば、空気調和機の外部に耐火箱を設け、１階と２階の仕切りを行なうことにより、家屋の耐火構造を損うことなく空気調和機を装着することができ、また天井板の加工をする際耐火箱に合せ出来るため作業性も向上し、精度も高くなる。
【００１８】
実施例２．
また、上記実施例１の本体耐火箱３１天面より、下方へ向け吊り下げボルトを備えると、空気調和機ユニット本体３の装着作業性もよくなる。図３において、３５は、本体耐火箱３１の天面より下方開口部へ向い鉛直方向へ突出設けられた吊り下げボルト、３６はユニット本体３角部より略Ｌ字形状をした、取付金具で、吊り下げボルト３５と係合すべく切欠き、長穴が設けられている。３７は本体固定ナットで吊り下げボルト３５へ、取付金具３６に設けられている切欠きを介し固定をする。
【００１９】
耐火箱内にユニット本体取付け用吊り下げボルトを備えると、吊下げボルトの取付ピッチの精度が向上し、作業性も向上する。また、空気調和機の装着作業を、耐火箱を事前に設置し、化粧合板の加工等が終了してから行うため化粧パネルを汚すことなく出来る。
【００２０】
実施例３．
次に本発明の実施例３を図４、５にて説明する。
図４は金属製で平板形状の耐火板の斜視図であり、図において、３８は金属製の耐火平板でユニット本体３に隙間のないようはまり込むフランジ形状を有する嵌合穴３９及びユニット本体３を吊り下げるための吊りボルト３２を通すための吊り下げボルト通し穴４０を形成する。
この耐火平板３８は図５に示すように吊りボルト３２に通されユニット本体３に嵌合される。ユニット本体３と石膏ボード３０とに生じている隙間を耐火平板３８をユニット本体３外周において石膏ボード３０に耐火平板３８が面接触するまで上昇させ隙間を塞いだ状態でナット３３で固定する。
【００２１】
この実施例３の空気調和機はユニット本体に耐火平板を嵌合取付ける構成としたため、ユニット本体と耐火平板にて耐火構造を得ることが出来るため天井板及び石膏ボードを貼った後、空気調和機を装着する場合においても容易に作業ができ更に部品構成も少ないため安価であるなど様々な効果を得ることが出来る。
【００２２】
【発明の効果】
この発明に係る天井埋込型空気調和機は、空気調和機本体を天井内に埋め込む天井埋込型空気調和機において、天井梁より下方に吊り下げられた吊りボルトと、下面が開口しその他の５面が壁面で形成され、吊りボルトに上面がナットにより係止め固定されると共に、本体を下面から収納固定し耐火材料からなり、上下の階を仕切る天井板と密接するように敷設される耐火箱とを備えた構成にしたので、家屋の耐火構造を損なうことなく空気調和機を装着することができる。
【００２３】
また、この発明に係る天井埋込型空気調和機は、耐火箱天面より下方へ突出して設けられ、空気調和機本体の取付金具と係合する吊り下げボルトを備えた構成にしたので、吊り下げボルトの取付ピッチの精度が向上し、作業性もよくなる。
【００２４】
また、この発明に係る天井埋込型空気調和機は、耐火箱は開口部端部外側にフランジ部を有し、ナットの締め付け量を調整することにより、天井板の室内に露出する面とフランジ部との隙間がないよう接触させることにより、家屋の耐火構造を損なうことなく空気調和機を装着することができる。
【００２５】
また、この発明に係る天井埋込型空気調和機は、空気調和機本体を天井内に埋め込む天井埋込型空気調和機において、中央部に空気調和機本体を嵌合する嵌合穴と、周囲に空気調和機本体を吊り下げる吊り下げボルトの通し穴とを有し耐火材料からなる耐火平板を備えた構成にしたので、空気調和機を装着する作業が容易に行える。
【図面の簡単な説明】
【図１】この発明における実施例１の空気調和機の装着状態を示す側面断面図である。
【図２】この発明における実施例１の空気調和機の部品構成を示す斜視図である。
【図３】この発明の実施例２における空気調和機の取付部を示す斜視図である。
【図４】この発明の実施例３における耐火板を示す斜視図である。
【図５】この発明の実施例３における空気調和機の耐火板装着状態を示す側面断面図である。
【図６】従来の空気調和機の部品構成を示す斜視図である。
【図７】従来の空気調和機の部品構成を示す側面断面図である。
【図８】従来の空気調和機の耐火構造家屋に装着した状態を示す側面断面図である。
【符号の説明】
３  ユニット本体
２７  化粧合板
３０  石膏ボード
３１  耐火箱
３２  吊りボルト
３３  ナット
３５  吊下げボルト
３６  取付金具
３７  本体固定ナット
３８  耐火平板
３９  嵌合穴
４０  吊下げボルト通し穴
【図１】
0003590414.tif 000002
【図２】
0003590414.tif 000003
【図３】
0003590414.tif 000004
【図４】
0003590414.tif 000005
【図５】
0003590414.tif 000006
【図６】
0003590414.tif 000007
【図７】
0003590414.tif 000008
【図８】
0003590414.tif 000009